(57)【要約】【課題】ガイドプレートをチェーンの張力方向に変形可能とし、連結ピンの弓状の変形やガイドプレートの弓状の反りを充分に防止するとともに、連結ピンと中間リンクプレートの前後１対のリンクピン孔との間で偏磨耗や偏荷重が発生することなく、発熱や騒音の増加を防止するガイドプレートを提供すること。【解決手段】サイレントチェーン１００のガイドプレート１１０であって、前後１対のガイドピン孔１１１を有する両端部１１２を連結する中間部１１３が、ピッチラインＰよりもスプロケット側にのみ設けられ、前後１対のガイドピン孔１１１の両最外面１１４が、無負荷状態で中間リンクプレート１２０の前後１対のリンクピン孔１２１の両最外面１２４より内側に位置すること。【選択図】図３
2012067799.tif 000002
【特許請求の範囲】
【請求項１】
前後１対のリンクピン孔を備えた中間リンクプレートを有するガイドリンク列と、前後１対のリンクピン孔を備えたインナーリンクプレートを有する非ガイドリンク列とが連結ピンにより交互に連結編成されるチェーンの前記ガイドリンク列の幅方向両外側に配置されるガイドプレートであって、
前後１対のガイドピン孔を有する両端部と、該両端部を連結する中間部とからなり、
該中間部が、前後１対のガイドピン孔の上下方向の中心を通るピッチラインよりもチェーンと噛みあうスプロケット側にのみ設けられ、
前記前後１対のガイドピン孔の両最外面が、無負荷状態で前記中間リンクプレートの前後１対のリンクピン孔の両最外面より内側に位置することを特徴とするガイドプレート。
【請求項２】
前記連結ピンが、ロッカー面を有する長、短１対の長ロッカーピンおよび短ロッカーピンからなり、
前記前後１対のガイドピン孔が、長ロッカーピンが密に嵌合する形状に形成されていることを特徴とする請求項１に記載のガイドプレート。
【請求項３】
前記前後１対のガイドピン孔の両最外面が、負荷状態で前記中間部が変形して前記中間リンクプレートの前後１対のリンクピン孔の両最外面と同位置となることを特徴とする請求項１または請求項２に記載のガイドプレート。
【請求項４】
前記前後１対のガイドピン孔の両最外面の形状が、負荷状態で前記中間部が変形して前記中間リンクプレートの前後１対のリンクピン孔の両最外面と同位置となった際に、前記中間リンクプレートの前後１対のリンクピン孔の両最外面の形状と一致するように形成されていることを特徴とする請求項３に記載のガイドプレート。
【発明の詳細な説明】
【技術分野】
【０００１】
本発明は、多数のリンクプレートを連結ピンにより交互に連結編成されるチェーンの最外側に配置されるガイドプレートに関するものである。
【背景技術】
【０００２】
従来、動力伝達用チェーンとして用いられるサイレントチェーンとして、１対のガイドプレートと、ガイドプレート間に配列された複数の中間リンクプレートよりなるガイドリンク列と、複数のインナーリンクプレートよりなる非ガイドリンク列とを有し、中間リンクプレートおよびインナーリンクプレートの前後１対のリンクピン孔に、連結ピンとしてロッカー面を有する長、短１対の長ロッカーピンおよび短ロッカーピンが該ロッカー面を対抗させて挿通され、ガイドリンク列の幅方向両外側に配置されるガイドプレートの前後１対のガイドピン孔に長ロッカーピンが嵌合し、ガイドリンク列と非ガイドリンク列が交互に連結編成されたものが公知である。
【０００３】
公知のサイレントチェーン５００は、図５に示すように、各々１対の歯部およびリンピン孔が形成されたガイドリンク列の中間リンクプレート５２０と非ガイドリンク列のインナーリンクプレート５３０を交互に積層するとともに、これらの中間リンクプレート５２０、インナーリンクプレート５３０の各リンクピン孔内にロッカー面を有する長、短１対の長ロッカーピン５４１および短ロッカーピン５４２を、該ロッカー面を対抗させて挿入して中間リンクプレート５２０、インナーリンクプレート５３０を枢動可能に連結し、さらにガイドリンク列の幅方向両外側にガイドプレート５１０を配置し、ガイドプレート５１０のガイドピン孔が長ロッカーピン５４１と密に嵌合して長ロッカーピン５４１を抜け止めする構造を有している。
【０００４】
また、最外側に設けられたガイドプレート５１０の中間部は、中間リンクプレート５２０およびインナーリンクプレート５３０の歯部がスプロケットに噛み合う際にスプロケットの歯の両側部にかかる形状に形成されており、サイレントチェーン５００が幅方向にずれないように規制するガイド機能を有している。
【０００５】
この公知のサイレントチェーン５００は、スプロケットに噛み合って張力が生じることとなるが、スプロケットから受ける張力は中間リンクプレート５２０およびインナーリンクプレート５３０で受け、ガイドプレート５１０は直接張力を受けない。
このことで、中間リンクプレート５２０およびインナーリンクプレート５３０と長、短１対の長ロッカーピン５４１と短ロッカーピン５４２との僅かなクリアランスおよび弾性変形の影響で、図６に示すように、長ロッカーピン５４１の両端がガイドプレート５１０に規制されて中央部が弓状に変形し、ガイドプレート５１０も弓状に反ることとなる。
【０００６】
この結果、中間リンクプレート５２０およびインナーリンクプレート５３０と長、短１対の長ロッカーピン５４１および短ロッカーピン５４２とが幅方向での当接が不均一となり、局所的に張力が集中しサイレントチェーン５００の全体としての引張強度が低下したり、繰り返しの変形によって摩耗伸びや発熱、騒音が増加したりするという問題があった。
【０００７】
また、スプロケットに噛み合う際に、前記変形の影響で、ガイドリンク列の中間リンクプレート５２０と非ガイドリンク列のインナーリンクプレート５３０とので歯のピッチ差が生じて着座が不安定となり、歯飛びや騒音が増加するなどの問題があった。
【０００８】
これらの問題を軽減するため、ガイドプレートをチェーンの張力方向に変形可能とし、連結ピンである長ロッカーピンの弓状の変形やガイドプレートの弓状の反りを抑制したものが公知である（特許文献１等参照。）。
【先行技術文献】
【特許文献】
【０００９】
【特許文献１】特許第３０９２８０５号公報（全頁、全図）
【発明の概要】
【発明が解決しようとする課題】
【００１０】
しかしながら、特許文献１等に記載された公知のガイドプレートは、前後１対のガイドピン孔の両最外面が、無負荷状態で中間リンクプレートの前後１対のリンクピン孔の両最外面と同一の位置に設定されているため、チェーンに張力がかかった負荷状態では、ガイドプレートの変形にともなって依然として連結ピンに僅かな曲げ方向の応力が発生し、連結ピンである長ロッカーピンの弓状の変形やガイドプレートの弓状の反りを充分に防止することができないという問題があった。
【００１１】
また、ガイドプレートの変形によって、前後１対のガイドピン孔の両最外面の角度が変化するため、中間リンクプレートの前後１対のリンクピン孔の両最外面と幅方向で形状が一致しなくなり、連結ピンである長ロッカーピンと中間リンクプレートの前後１対のリンクピン孔とが一部のみ接触する点接触となり、偏磨耗や偏荷重が発生し、発熱や騒音が増加するという問題があった。
【００１２】
本発明は、前述したような従来技術の問題を解決するものであって、すなわち、本発明の目的は、ガイドプレートをチェーンの張力方向に変形可能とし、連結ピンの弓状の変形やガイドプレートの弓状の反りを充分に防止するとともに、連結ピンと中間リンクプレートの前後１対のリンクピン孔との間で偏磨耗や偏荷重が発生することなく、発熱や騒音の増加を防止するガイドプレートを提供することである。
【課題を解決するための手段】
【００１３】
本請求項１に係る発明は、前後１対のリンクピン孔を備えた中間リンクプレートを有するガイドリンク列と、前後１対のリンクピン孔を備えたインナーリンクプレートを有する非ガイドリンク列とが連結ピンにより交互に連結編成されるチェーンの前記ガイドリンク列の幅方向両外側に配置されるガイドプレートであって、前後１対のガイドピン孔を有する両端部と、該両端部を連結する中間部とからなり、該中間部が、前後１対のガイドピン孔の上下方向の中心を通るピッチラインよりもチェーンと噛みあうスプロケット側にのみ設けられ、前記前後１対のガイドピン孔の両最外面が、無負荷状態で前記中間リンクプレートの前後１対のリンクピン孔の両最外面より内側に位置することにより、前記課題を解決するものである。
【００１４】
本請求項２に係る発明は、請求項１に記載されたガイドプレートの構成に加えて、前記連結ピンが、ロッカー面を有する長、短１対の長ロッカーピンおよび短ロッカーピンからなり、前記前後１対のガイドピン孔が、長ロッカーピンが密に嵌合する形状に形成されていることにより、前記課題をさらに解決するものである。
【００１５】
本請求項３に係る発明は、請求項１または請求項２に記載されたガイドプレートの構成に加えて、前記前後１対のガイドピン孔の両最外面が、負荷状態で前記中間部が変形して前記中間リンクプレートの前後１対のリンクピン孔の両最外面と同位置となることにより、前記課題をさらに解決するものである。
【００１６】
本請求項４に係る発明は、請求項３に記載されたガイドプレートの構成に加えて、前記前後１対のガイドピン孔の両最外面の形状が、負荷状態で前記中間部が変形して前記中間リンクプレートの前後１対のリンクピン孔の両最外面と同位置となった際に、前記中間リンクプレートの前後１対のリンクピン孔の両最外面の形状と一致するように形成されていることにより、前記課題をさらに解決するものである。
【発明の効果】
【００１７】
本請求項１に係る発明のガイドプレートは、前後１対のリンクピン孔を備えた中間リンクプレートを有するガイドリンク列と、前後１対のリンクピン孔を備えたインナーリンクプレートを有する非ガイドリンク列とが連結ピンにより交互に連結編成されるチェーンのガイドリンク列の幅方向両外側に配置されるガイドプレートであって、前後１対のガイドピン孔を有する両端部と、該両端部を連結する中間部とからなり、該中間部が、前後１対のガイドピン孔の上下方向の中心を通るピッチラインよりもチェーンと噛みあうスプロケット側にのみ設けられていることにより、ガイドプレートをチェーンの張力方向に変形可能とし、連結ピンの弓状の変形やガイドプレートの弓状の反りを抑制することができる。
【００１８】
また、前後１対のガイドピン孔の両最外面が、無負荷状態で中間リンクプレートの前後１対のリンクピン孔の両最外面より内側に位置することにより、チェーンに張力がかかった負荷状態で初めて連結ピンが中間リンクプレートの前後１対のリンクピン孔の両最外面に接触して負荷を受けるため、ガイドプレートの変形は僅かであり、連結ピンに曲げ方向の応力がほとんど発生せず、連結ピンの弓状の変形やガイドプレートの弓状の反りを充分に防止することができる。
【００１９】
本請求項２に記載の構成によれば、連結ピンが、ロッカー面を有する長、短１対の長ロッカーピンおよび短ロッカーピンからなり、前後１対のガイドピン孔が、長ロッカーピンが密に嵌合する形状に形成されていることにより、ガイドプレートを長ロッカーピンに密に嵌合し抜け止めの機能のみを有する小さなものとすることができるとともに、曲げ応力に対して変形しやすい長ロッカーピンであっても、ガイドプレートをチェーンの張力方向に変形可能とし、連結ピンである長ロッカーピンの弓状の変形やガイドプレートの弓状の反りを抑制することができる。
【００２０】
本請求項３に記載の構成によれば、前後１対のガイドピン孔の両最外面が、負荷状態で中間部が変形して中間リンクプレートの前後１対のリンクピン孔の両最外面と同位置となることにより、チェーンに張力がかかった負荷状態における連結ピンにかかる曲げ応力をさらに小さくし、連結ピンの弓状の変形やガイドプレートの弓状の反りをさらに充分に防止することができる。
【００２１】
本請求項４に記載の構成によれば、前後１対のガイドピン孔の両最外面の形状が、負荷状態で前記中間部が変形して前記中間リンクプレートの前後１対のリンクピン孔の両最外面と同位置となった際に、前記中間リンクプレートの前後１対のリンクピン孔の両最外面の形状と一致するように形成されていることにより、チェーンに張力がかかった負荷状態において、連結ピンと中間リンクプレートの前後１対のリンクピン孔とが面接触することが可能となるため、偏磨耗や偏荷重が発生することがない。
【図面の簡単な説明】
【００２２】
【図１】本発明のガイドプレートを採用したサイレントチェーンの側面図。
【図２】本発明のガイドプレートを採用したサイレントチェーンの平面図。
【図３】本発明の一実施例であるガイドプレートの説明図。
【図４】本発明の一実施例であるガイドプレートの張力負荷時の説明図。
【図５】従来のサイレントチェーンの側面図。
【図６】従来のサイレントチェーンの張力負荷時の説明図。
【発明を実施するための形態】
【００２３】
本発明は、前後１対のリンクピン孔を備えた中間リンクプレートを有するガイドリンク列と、前後１対のリンクピン孔を備えたインナーリンクプレートを有する非ガイドリンク列とが連結ピンにより交互に連結編成されるチェーンのガイドリンク列の幅方向両外側に配置されるガイドプレートであって、前後１対のガイドピン孔を有する両端部と、該両端部を連結する中間部とからなり、該中間部が、前後１対のガイドピン孔の上下方向の中心を通るピッチラインよりもチェーンと噛みあうスプロケット側にのみ設けられ、前後１対のガイドピン孔の両最外面が、無負荷状態で中間リンクプレートの前後１対のリンクピン孔の両最外面より内側に位置し、ガイドプレートをチェーンの張力方向に変形可能とし、連結ピンの弓状の変形やガイドプレートの弓状の反りを充分に防止するとともに、連結ピンと中間リンクプレートの前後１対のリンクピン孔との間で偏磨耗や偏荷重が発生することなく、発熱や騒音の増加を防止するという効果を奏するものであれば、その具体的な実施態様は如何なるものであっても何ら構わない。
【００２４】
なお、各図面に示す各構成部材の形状、変形量やずれ量等は、実寸ではなく、発明が明確に支持される範囲内で、より解りやすく説明するために簡略化したり誇張したものである。
また、各図面に示す各リンクプレートの枚数についても、説明のために異なるものが混在しているが、実際には、枚数は如何なるものであっても良い。
【実施例１】
【００２５】
以下に、本発明の実施例であるガイドプレートについて、図面に基づいて説明する。
本発明の一実施例であるガイドプレート１１０を採用したサイレントチェーン１００は、図１、図２に示すように、各々１対の歯部およびリンクピン孔が形成されたガイドリンク列の中間リンクプレート１２０と非ガイドリンク列のインナーリンクプレート１３０を交互に積層するとともに、これらの中間リンクプレート１２０、インナーリンクプレート１３０の各リンクピン孔内にロッカー面を有する長、短１対の長ロッカーピン１４１、短ロッカーピン１４２が該ロッカー面を対抗させて挿入されて、各中間リンクプレート１２０、インナーリンクプレート１３０を枢動可能に連結し、さらにガイドリンク列の中間リンクプレート１２０の最外側にガイドプレート１１０を配置した構造を有している。
【００２６】
ガイドプレート１１０は、図３に示すように、前後１対のガイドピン孔１１１を有する両端部１１２と、該両端部１１２を連結する中間部１１３とからなり、該中間部１１３が、前後１対のガイドピン孔１１１の上下方向の中心を通るピッチラインＰよりもチェーンと噛みあうスプロケット側にのみ設けられている。
【００２７】
そして、前後１対のガイドピン孔１１１の両最外面１１４が、チェーンに張力がかかっていない無負荷状態では、同じガイド列の幅方向に設けられる中間リンクプレート１２０の前後１対のリンクピン孔１２１の両最外面１２４より内側に位置するように設けられている。
【００２８】
ガイドプレート１１０の前後１対のガイドピン孔１１１には、長ロッカーピン１４１が密に嵌合されている。
このため、チェーンに張力がかかっていない無負荷状態では、長ロッカーピン１４１は、同じガイド列の幅方向に設けられる中間リンクプレート１２０の前後１対のリンクピン孔１２１とは、所定のクリアランスをもって遊嵌されている。
【００２９】
ガイドプレート１１０の前後１対のガイドピン孔１１１に長ロッカーピン１４１が密に嵌合することで抜け止めされてサイレントチェーン１００が構成されるとともに、ガイドプレート１１０の中間部１１３が、中間リンクプレート１２０の歯部がスプロケットに噛み合う際にスプロケットの歯の両側部にかかることで、サイレントチェーン１００が幅方向にずれないように規制している。
【００３０】
このように構成されたガイドプレート１１０を有するサイレントチェーン１００に張力がかかった負荷状態となったとき、図３に示すように、ガイドプレート１１０の前後１対のガイドピン孔１１１に密に嵌合された長ロッカーピン１４１が離れる方向に引っ張られる。
これにともなって、ガイドプレート１１０の中間部１１３が変形し、両端部１１２が中間部１１３を中心に図示上方が拡がる。
【００３１】
このとき、両端部１１２に設けられたガイドピン孔１１１の両最外面１１４は、中間リンクプレート１２０の両最外面１２４と同じ位置に移動するとともに、その位置に移動した際に、ガイドピン孔１１１の両最外面１１４の形状が中間リンクプレート１２０の両最外面１２４の形状と一致する。
【００３２】
このことで、サイレントチェーン１００に張力がかかった負荷状態において、連結ピンである長ロッカーピン１４１が中間リンクプレート１２０のリンクピン孔１２１の両最外面１２４に均等に当接するため、曲げ応力を小さくなり、連結ピンである長ロッカーピン１４１の弓状の変形やガイドプレート１１０の弓状の反りを防止することができる。
【００３３】
また、ガイドピン孔１１１の両最外面１１４の形状が中間リンクプレート１２０の両最外面１２４の形状と一致するため、連結ピンである長ロッカーピン１４１と中間リンクプレート１２０の前後１対のリンクピン孔１２１の両最外面１２４とが局部的に点接触せず面接触することが可能となるため、偏磨耗や偏荷重が発生することがない。
【００３４】
以上説明したように、本発明によれば、ガイドプレートをチェーンの張力方向に変形可能とし、連結ピンの弓状の変形やガイドプレートの弓状の反りを充分に防止するとともに、連結ピンと中間リンクプレートの前後１対のリンクピン孔との間で偏磨耗や偏荷重が発生することなく、発熱や騒音の増加を防止するなど、その効果は甚大である。
【００３５】
なお、上記各実施例では、連結ピンとして連結ピンとしてロッカー面を有する長、短１対の長ロッカーピンおよび短ロッカーピンが該ロッカー面を対抗させて挿通されるものを採用したが、外形円筒状の連結ピンとしてもよく、その場合は、ガイドプレートの前後１対のガイドピン孔は円形であり、中間リンクプレートのリンクピン孔は、ガイドピン孔よりも大径の円形あるいは、ガイドピン孔に比べてチェーン張力方向に長い長円形とすることで、同様の作用効果を奏することができる。
【００３６】
さらに、本発明のガイドプレートのサイズや強度は、連結ピンが抜け止めされてサイレントチェーン全体を維持でき、かつ、サイレントチェーンが幅方向にずれないように規制可能な範囲で小さく設計すれば良く、小さな力で変形可能であれば、さらに、連結ピンの弓状の変形やガイドプレート自体の弓状の反りを確実に防止できる。
【符号の説明】
【００３７】
１００、５００  ・・・サイレントチェーン
１１０、５１０  ・・・ガイドプレート
１１１          ・・・ガイドピン孔
１１２          ・・・両端部
１１３          ・・・中間部
１１４          ・・・最外面
１２０、５２０  ・・・中間リンクプレート
１２１          ・・・リンクピン孔
１２４          ・・・最外面
１３０、５３０  ・・・インナーリンクプレート
１４１、５４１  ・・・長ロッカーピン
１４２、５４２  ・・・短ロッカーピン
【図１】
2012067799.tif 000003
【図２】
2012067799.tif 000004
【図３】
2012067799.tif 000005
【図４】
2012067799.tif 000006
【図５】
2012067799.tif 000007
【図６】
2012067799.tif 000008